(57)【要約】      （修正有）【課題】マウスパッドの周囲で発光効果を提供できる発光型マウスパッドを提供する。【解決手段】ベース１０、光源モジュール、及び導光管体４０を含む発光型マウスパッド１を提供する。光源モジュールが固定部１２１内に設置され、導光管体４０がベース１０の周囲に固定される。導光管体４０の少なくとも一方の端部は、光源モジュールの光線を導光管体４０内に案内するように光源モジュールに近接する。導光管体４０がベース１０の周囲に露出し、光源モジュールの光線を案内して導光管体４０の表面から透過させる。【選択図】図１
0003219501.tif 000002
【実用新案登録請求の範囲】
【請求項１】
周囲に固定具を有し、頂面にマウス滑動層が設けられるベースと、
前記固定具内に設置される光源モジュールと、
前記ベースの周囲に固定される導光管体と、
を含み、
前記導光管体の少なくとも一方の端部が、前記光源モジュールの光線を前記導光管体内に案内するように前記光源モジュールに近接し、
前記導光管体が前記ベースの周囲に露出し、光源モジュールの光線を前記導光管体の表面から透過させる、発光型マウスパッド。
【請求項２】
パッド体をさらに含み、
前記ベースの頂面に収納領域が凹設するように形成され、前記パッド体が前記収納領域内に設置され、前記マウス滑動層が前記パッド体の頂面に形成される、請求項１に記載の発光型マウスパッド。
【請求項３】
前記パッド体の外形が前記収納領域の外形に対応する、請求項２に記載の発光型マウスパッド。
【請求項４】
前記ベースの周囲に嵌合溝が形成され、前記嵌合溝が前記固定具内に延び、前記導光管体が前記ベースの前記嵌合溝内に嵌合するように固定される、請求項１に記載の発光型マウスパッド。
【請求項５】
前記固定具が第１の固定部及び第２の固定部を有し、前記光源モジュールが前記第１の固定部及び前記第２の固定部の間に挟持し固定される、請求項１に記載の発光型マウスパッド。
【請求項６】
前記第１の固定部に第一半嵌合溝が形成され、前記第２の固定部に第二半嵌合溝が形成される、請求項５に記載の発光型マウスパッド。
【請求項７】
前記光源モジュールは、回路基板、及び少なくとも１つの点光源を備える、請求項１に記載の発光型マウスパッド。
【請求項８】
前記ベースの底面に貼付される下パッド体をさらに含む、請求項１に記載の発光型マウスパッド。
【請求項９】
前記固定具が前記ベースの隅に配置される、請求項１に記載の発光型マウスパッド。
【請求項１０】
前記光源モジュールの数が２つであり、それぞれが前記ベースにおける２つの相対的な隅に配置され、前記ベースの周囲に２つの前記導光管体が設けられ、それぞれが２つの前記光源モジュールの両側に接続される、請求項９に記載の発光型マウスパッド。
【請求項１１】
前記光源モジュールの数が４つであると共にそれぞれが前記ベースの４つの隅に配置され、
前記ベースの周囲に、４つの前記導光管体が設けられ、４つの前記導光管体のそれぞれが４つの前記光源モジュールの両側に接続される、請求項９に記載の発光型マウスパッド。
【請求項１２】
マウスを滑動させるためのパッド体を載置可能な発光型マウスパッドのベース体であって、
周囲に固定具を有するベースと、
前記固定具内に設置される光源モジュールと、
前記ベースの周囲に固定される導光管体と、
を含み、
前記導光管体の少なくとも一方の端部は、前記光源モジュールの光線を前記導光管体内に案内するように、前記光源モジュールに近接する、発光型マウスパッドのベース体。
【請求項１３】
前記ベースの周囲に嵌合溝が形成され、
前記嵌合溝が前記固定具内に延び、
前記導光管体が前記ベースの前記嵌合溝内に嵌合するように固定される、請求項１２に記載の発光型マウスパッドのベース体。
【考案の詳細な説明】
【技術分野】
【０００１】
本考案は発光型マウスパッド及び発光型マウスパッドのベース体に関し、特にマウスパッドの周囲で発光効果を形成するものである。
【背景技術】
【０００２】
現在、市販されている発光効果のあるマウスパッドは、発光ダイオードと導光板を組み合わせたり、その他の光源を利用することによって発光効果を形成する。しかし、その装飾効果は限られており、またその全体としてのコストがまだ高すぎる。なお、パッド体が長期間に使用されて汚くなってしまうと、単独で交換できず、発光マウスパッド全体を交換する必要があり、環境保護の観点から好ましくない。
【考案の概要】
【考案が解決しようとする課題】
【０００３】
本考案の実施形態は発光型マウスパッドを提供し、マウスパッドの周囲で発光効果を提供することを課題とする。
【課題を解決するための手段】
【０００４】
上述した目的を達成するため、本考案による１つの実施形態は、ベース、光源モジュール、及び導光管体を含む発光型マウスパッドを提供する。前記ベースの周囲に固定具を有し、前記ベースの頂面にマウス滑動層を設け、前記光源モジュールが前記固定具内に設置され、前記導光管体が前記ベースの周囲に固定される。前記導光管体の少なくとも一方の端部は、前記光源モジュールの光線を前記導光管体内に案内するように前記光源モジュールに近接する。前記導光管体が前記ベースの周囲に露出し、光源モジュールの光線を前記導光管体の表面から透過させる。
【０００５】
さらに、本考案の実施形態は発光型マウスパッドのベースを提供し、ユーザが異なるパッド体を交換でき、そして、パッド体の周囲で発光効果を提供できる。
【０００６】
上述した技術的問題を解決するために、本考案はさらに、マウスが滑らせるためのパッド体を載置することができる発光型マウスパッドのベース体を提供する。発光型マウスパッドのベース体がベース、光源モジュール、及び導光管体を含む。前記ベースの周囲に固定具を有し、前記光源モジュールが前記固定具内に設置され、前記導光管体が前記ベースの周囲に固定され、前記導光管体の少なくとも一方の端部が前記光源モジュールに近く、前記光源モジュールの光線を前記導光管体内に案内する。
【０００７】
本考案の有益な効果は、本考案の実施形態が提供した発光型マウスパッドでは、導光管体の一部が前記ベースの周囲に露出し、光源モジュールの光線を前記導光管体の表面から透過させ、パッド体の外周全体に亘って発光効果を形成することである。本考案の発光型マウスパッドのベース体は必要に応じてパッド体を交換したり、異なるパッド体と組み合わせることができる。
【０００８】
本考案の特徴及び技術内容をより明らかにするために、以下の本考案に関わる詳細な説明と図面を参照する。しかし、付された図面は参照と説明のために提供され、本考案を制限するためのものではない。
【図面の簡単な説明】
【０００９】
【図１】本考案の発光型マウスパッドの斜視図である。
【図２】本考案の発光型マウスパッドの平面図である。
【図３】本考案の発光型マウスパッドの断面図である。
【図４】本考案の発光型マウスパッドの分解断面図である。
【図５】本考案の発光型マウスパッドの図３の部分拡大図である。
【図５Ａ】本考案の発光型マウスパッドが他種類の固定具を有する平面図である。
【図６】本考案の発光型マウスパッドの第２の実施形態の平面図である。
【図７】本考案の発光型マウスパッドの第３の実施形態の平面図である。
【考案を実施するための形態】
【００１０】
［第１の実施形態］
【００１１】
図１及び図２を参照する。図１及び図２は、それぞれ本考案の発光型マウスパッドの斜視図及び平面図である。本考案が提供した発光型マウスパッド１は、ベース１０、パッド体２０、光源モジュール３０、導光管体４０、及び下パッド体５０を含む。
【００１２】
ベース１０の頂面に、パッド体２０を収納するための収納領域１１が凹設するように形成される。ベース１０の周囲に嵌合溝１３が形成され、嵌合溝１３が導光管体４０を収納するようにベース１０の周囲の大部分を囲む。ベース１０の周囲に固定具１２を有し、前記嵌合溝１３が前記固定具１２内に延びる。固定具１２は、光源モジュール３０及びケーブルＣを固定するために用いられる。
【００１３】
上述したベース１０の「周囲」は本実施形態においてＣ形とされるベース１０の側辺を意味する。しかし、本考案はこれに限られず、例えばベース１０の頂面における側辺に近接する位置に、上向きの嵌合溝が形成されてもよい。なお、嵌合溝の形状も直線形に限られず、異なる形状に折り曲げられてもよく、特殊な造形であってもよい。
【００１４】
パッド体２０がベース１０の収納領域１１内に設置される。本実施形態のパッド体２０の外形が前記収納領域１１の外形に対応する。パッド体２０の頂面にマウス滑動層が設けられ、マウスがその頂面に滑動移動可能であり、パッド体２０の材質がポリエステルフィルム（ＭＹＬＡＲ）、布、又は金属などであるが、本考案がこれに限られない。ユーザがベース１０に異なるパッド体２０を設置できるように、本考案のパッド体２０がベース１０と分離されてもよい。言い換えれば、本考案はパッド体２０を取り外した後、発光型マウスパッドのベース体として、ユーザが必要に応じてパッド体２０を交換したり、異なるパッド体２０と組み合わせることができる。
【００１５】
ちなみに、本考案のベース１０はプラスチック板や金属板であってもよく、ベース１０の頂面に直接にマウス滑動層が形成され、これによってマウスがその頂面に滑動移動でき、この実施形態において、ベースでは収納領域１１とパッド体２０を省略できる。
【００１６】
図３乃至図５を参照する。図３乃至図５は、本考案の発光型マウスパッドの断面図、分解断面図、及び部分断面拡大図である。光源モジュール３０がベース１０の固定具１２内に設置される。前記光源モジュール３０が回路基板３１、及び少なくとも１つの点光源３２、例えば発光ダイオード（ＬＥＤ）を有する。本考案の１つの実施形態は光源モジュール３０が２つの点光源３２を有し、それぞれが導光管体４０の両端に対応する。
【００１７】
本実施形態の固定具１２が第１の固定部１２１及び第２の固定部１２２を有する。前記光源モジュール３０が前記第１の固定部１２１及び前記第２の固定部１２２の間に挟持し固定される。第１の固定部１２１と第２の固定部１２２は螺合されてもよく、あるいは、第１の固定部１２１と第２の固定部１２２がプラスチック射出成形によって結合されてもよい。例えば光源モジュール３０及びケーブルＣを金型内に入れ、インサート成形方法を利用して第１の固定部１２１と第２の固定部１２２を射出し、光源モジュール３０とケーブルＣを被覆する。なお、本考案の固定具の構造が上述した実施形態に限られず、光源モジュール３０及び導光管体４０を挟持し固定する方法は以上と異なるものであってもよい。
【００１８】
図５を参照し、固定具１２の上方の部材は２つの第１の固定部１２１'に分かれて、ネジＳで螺合されてもよい。また、光源モジュール３０のオンオフを制御するようにスイッチボタン１４が設置されてもよい。ちなみに、本実施形態の光源モジュール３０はベース１０に固定されなくてもよく、ベース１０と分離され、他の導光部材を利用して例えば光源モジュール３０と導光管体４０を接続してもよい。
【００１９】
導光管体４０がベース１０の前記嵌合溝１３内に嵌合し固定され、本実施形態において、導光管体４０が光ファイバー円形管や導光可能な材料であってもよく、例えばアクリル、ポリカーボネート等のポリマーで構成されてもよい。しかし、本考案がこれに限られず、光線を光源モジュール３０から外へ案内して導光管体４０の周囲で透光できればよく、導光管体４０の断面も円形管に限られず、例えば方形柱や薄片体であってもよい。導光管体４０の少なくとも一方の端部が光源モジュール３０に近く、光源モジュール３０の光線を導光管体４０内に案内する。導光管体４０の部分が嵌合溝１３の外側に露出する。必要に応じて、拡散反射を増加させるように、例えば曇った表面はことなど、導光管体４０の外面に微透光構造を形成してもよい。
【００２０】
この実施形態のメリットは、本考案の導光管体４０の一部が前記ベース１０の周囲に露出し、光源モジュール３０の光線を前記導光管体４０の表面から透過させ、パッド体２０の外周全体に亘って発光効果を形成することである。ベース１０は透明または不透明な材質で形成されてもよく、マウス自体の光線を妨害しなければよい。
【００２１】
図４を参照し、前記第１の固定部１２１に第一半嵌合溝１２１０が形成され、前記第１の固定部１２２に第二半嵌合溝１２２０が形成される。換言すれば、外側の嵌合溝１３が固定具１２内に延びることによって、導光管体４０の両端が延伸して固定具１２内にある光源モジュール３０に近く、光線が導光管体４０の端部に導かれる。
【００２２】
本実施形態の発光型マウスパッド１は下パッド体５０をさらに含み、前記ベース１０の底面に貼付される。下パッド体５０が一体片であってもよく、あるいは複数片であってもよく、滑り止めの機能を果たす。しかし、本考案は下パッド体５０を省くこともでき、例えば直接にベース１０の底面に複数の滑り止め用の突点等が形成されてもよい。
【００２３】
図１及び図２に示すように、本実施形態の固定具１２がベース１０の一方の側辺の中間に設置され、導光管体４０の数が一本で、その長さがわずかにベース１０の全体周長より短く、導光管体４０の両端が固定具１２内に固定され、かつ、点光源３２に近接する。
【００２４】
［第２の実施形態］
【００２５】
図６は本考案の発光型マウスパッドの第２の実施形態の平面模式図である。本実施形態の発光型マウスパッド１'は上述した実施形態との差異点では、固定具１２'がベース１０'の隅に配置されていることである。光源モジュールの数が４つで、４つの光源モジュール３０Ａ、３０Ｂ、３０Ｃ、３０Ｄがそれぞれベース１０'の４つの隅に配置され、ベース１０'の周囲に４つの導光管体４０Ａ、４０Ｂが設けられ、それぞれが４つの前記光源モジュール３０Ａ、３０Ｂ、３０Ｃ、３０Ｄの両側に接続される。光源モジュール３０Ａ、３０Ｂ、３０Ｃ、３０Ｄがそれぞれ２つの点光源を有する。光源モジュール３０Ａが例と挙げられ、２つの点光源３２Ａを有し、それぞれが上方縁に位置する導光管体４０Ａの一端及び右側縁に位置する導光管体４０Ｂの一端に近接する。
【００２６】
この実施形態のメリットは、４つの隅の光源モジュール３０Ａ、３０Ｂ、３０Ｃ、３０Ｄがそれぞれ２つの点光源を有し、八つの方向へ照射でき、したがって、多種類の混色発光効果を実現できることである。
【００２７】
しかし、本考案はこれに限られず、例えば、光源モジュールの数が２つであってもよく、それぞれが前記ベース１０'の２つの相対的隅に配置され、図６の右上隅及び左下隅のように、ベース１０'の周囲に略Ｌ形の導光管体が２つ設置され、それぞれが２つの光源モジュールの両側に接続されている。
【００２８】
［第３の実施形態］
【００２９】
図７を参照し、本考案の発光型マウスパッド１"は、ベース１０"に網状布織り層１５が設けられてもよい。この実施形態のベース１０"における頂面は平坦であってもよく、収納領域とパッド体を省略し、網状布織り層１５がベース１０"の頂面に敷設されている。導光管体４０が直接に布織り線材１５１によってベース１０"に縫付けされてもよい。この実施形態において、ベース１０"の周囲に嵌合溝が必要ではない。
【００３０】
上述したように、本考案の効果は、本考案の実施形態が提供した発光型マウスパッドは、導光管体４０の部分が前記ベース１０の周囲に露出し、光源モジュール３０の光線を前記導光管体４０の表面から透過させ、パッド体２０の外周全体に亘って発光効果を形成することである。なお、複数の光源モジュールを設置することによって、複数の方向へ照射することができ、したがって多種類の混色発光効果を実現できる。
【００３１】
以上が本考案の好ましい実施可能な実施形態に過ぎず、本考案の特許請求の範囲はこれに限定されるものではなく、本考案の明細書及び図面内容に基づいて得る等価的技術変形がいずれも本考案の請求範囲内に含まれる。
【符号の説明】
【００３２】
１、１'、１"    発光型マウスパッド
１０、１０'、１０"    ベース
１１    収納領域
１２、１２'    固定具
１２１、１２１'    第１の固定部
１２１０    第一半嵌合溝
１２２    第２の固定部    
１２２０    第二半嵌合溝
１３    嵌合溝
１４    スイッチボタン
１５    網状布織り層
１５１    布織り線材
２０    パッド体
３０、３０Ａ、３０Ｂ、３０Ｃ、３０Ｄ    光源モジュール
３１    回路基板
３２、３２Ａ    点光源
４０、４０Ａ、４０Ｂ    導光管体    
５０    下パッド体
Ｃ    ケーブル
Ｓ    ネジ
【図１】
0003219501.tif 000003
【図２】
0003219501.tif 000004
【図３】
0003219501.tif 000005
【図４】
0003219501.tif 000006
【図５】
0003219501.tif 000007
【図５Ａ】
0003219501.tif 000008
【図６】
0003219501.tif 000009
【図７】
0003219501.tif 000010